(57)【要約】【課題】  シリンジの接続相手器具におけるロック機構の有無に影響されずに、不都合なく接続相手器具と接続可能な汎用性の高いシリンジを提供する。【解決手段】  ポートへの接続に際して、当該ポートに挿入されるルアー部１４０の保持力を高める筒状のロック部１３０を備えた医療用シリンジであって、ロック部１３０は、外側周面に連結ピン１６０を挿通する貫通孔１３２ａ及び１３２ｂが穿設され、端部に貫通孔１３４が穿設されており、連結ピン１６０は、ルアー部と嵌合する嵌合部を有しており、貫通孔１３２ａ及び１３２ｂにルアー部１４０を挿入した状態で、連結ピン１６０を前記嵌合が実施される位置まで貫通孔１３２ａ及び１３２ｂに挿通するロック部保持姿勢と、連結ピン１６０を貫通孔１３２ａ及び貫通孔１３２ｂから抜き出して前記嵌合を解除する接続補助部材開放姿勢とに姿勢変更自在な構成である。【選択図】      図１
2005296139.tif 000002
【特許請求の範囲】
【請求項１】
ポートへの接続に際して、当該ポートに挿入されるルアー部の保持力を高める筒状の接続補助部材を備えた医療用シリンジであって、
前記接続補助部材は、外側周面にピンを挿通する第１挿通孔が穿設され、端部に第２挿通孔が穿設されており、
前記ピンは、ルアー部と嵌合する嵌合部を有しており、
前記第２挿通孔に前記ルアー部を挿入した状態で、前記ピンを前記嵌合が実施される位置まで第１挿通孔に挿通する接続補助部材保持姿勢と、
前記ピンを第１挿通孔から抜き出して前記嵌合を解除する接続補助部材開放姿勢とに姿勢変更自在な構成を備えることを特徴とする医療用シリンジ。
【請求項２】
前記ルアー部は、中央部近傍又は根元部近傍の径が局部的に細くなっている径小部を有する略円筒形状であって、
前記ピンの挿通路は、前記接続補助部材の中心軸近傍を通って対向する前記外側周面同士を結ぶ線上にあり、
前記嵌合は、前記接続補助部材の中心軸近傍において、前記ピンの嵌合部が前記ルアー部の径小部に嵌り込むことによりなされることを特徴とする請求項１記載の医療用シリンジ。
【請求項３】
前記嵌合は、小径部の中心軸を回転軸として、前記ピンが回転自在となるようになされることを特徴とする請求項２記載の医療用シリンジ。
【請求項４】
前記ピンは、当該ピンを挿抜する際に摘む取っ手部が設けられていることを特徴とする請求項１から３のいずれかに記載の医療用シリンジ。
【発明の詳細な説明】
【技術分野】
【０００１】
本発明は、医療用シリンジに関し、特に、シリンジの汎用性を高める技術に関する。
【背景技術】
【０００２】
近年、いわゆる注射筒などの医療用シリンジは、多様なタイプのものが製造されており、例えば、特定のポートと強固に接続するためロック機構を備えたシリンジがある（例えば、特許文献1）。
より具体的には、図６（ａ）に示すようにシリンジ１０００は、薬液１１１０を収容するシリンジ本体部１１２１の端部から円筒状のルアー部１１４１が延出されており、このルアー部１１４１の略中央に設けられた段差部１１４３と前記シリンジ本体部１１２１の端部との間に有底円筒状のロック部１１３０が回転可能な状態で挿嵌されており、前記シリンジ本体部１１２１の開口部には、プランジャ１１５０が挿入されてなる。
【０００３】
なお、ロック部１１３０の底面には、ルアー部１１４１を挿通させる貫通孔が設けられており、ルアー部１１４１がこの貫通孔に無理ばめされている。
混注ポート１２００は、輸液ラインなどの流路となるポート本体部１２０１の側面において、上記シリンジ１０００のルアー部１１４１の挿入先となるゴム製の弁体１２０４が円筒状のカバー本体部１２０２に内接し、挟持されてなる。
【０００４】
また、上記カバー本体部１２０２には、上記ロック部１１３０と螺合するネジ部１２０３が刻設されている。
上記シリンジ１０００を混注ポート１２００に接続しようとすれば、接続を実施する者は、このルアー部１１４１を上記弁体１２０４に設けられたスリットに差し込みつつ、ロック部１１３０を回転させながら締め込むこととなる。
【０００５】
ところで、上記ロック部１１３０などの接続補助具を用いて、シリンジと混注ポートなどのシリンジの接続相手器具とが簡単に外れないようにするものをルアーロックタイプという。
これに対し、シリンジとシリンジの接続相手器具とが簡単に挿抜できる構造となっているものをルアースリップタイプという。
【０００６】
より具体的には、ルアースリップタイプのシリンジは、例えば、ロック部１１３０などの接続補助具がない点でルアーロックタイプのシリンジとは異なる。
また、ルアースリップタイプの混注ポートは、例えば、ロック部１１３０に対応するネジ部などの嵌合部が設けられていない点でルアースリップタイプの混注ポートとは異なる。
【０００７】
通常、ルアーロックタイプのシリンジとルアーロックタイプの混注ポートとの組み合わせ、または、ルアースリップタイプのシリンジとルアースリップタイプの混注ポートとの組み合わせで、使用されることとなるが、医療現場では、両タイプの混注ポートが共に用いられることがあるので、図７（ａ）に示すように、ルアーロックタイプのシリンジとルアースリップタイプの混注ポートとの組み合わせであっても使用したいという要望がある。
【特許文献１】実開平６−６６６４１号公報
【発明の開示】
【発明が解決しようとする課題】
【０００８】
しかしながら、上述のように、ルアーロックタイプのシリンジをルアースリップタイプの混注ポートに接続することは、本来想定されていない使用方法であるため、図７（ｂ）に示すように、例えば、混注ポート１２００のカバー本体部１２０２とシリンジ１０００のロック部１１３０が干渉して、接続ができない場合がある。
このように、接続補助部材を備えるシリンジの汎用性における課題は、迅速で正確な対応を求められる医療現場の要求から早急に改善が望まれている。
【０００９】
本発明は、以上の課題に鑑みて為されたものであって、その目的は、シリンジの接続相手器具におけるロック機構の有無に影響されずに、不都合なく接続相手器具と接続可能な汎用性の高いシリンジを提供することにある。
【課題を解決するための手段】
【００１０】
上記の目的を達成するために、本発明に係るシリンジは、ポートへの接続に際して、当該ポートに挿入されるルアー部の保持力を高める筒状の接続補助部材を備えた医療用シリンジであって、前記接続補助部材は、外側周面にピンを挿通する第１挿通孔が穿設され、端部に第２挿通孔が穿設されており、前記ピンは、ルアー部と嵌合する嵌合部を有しており、前記第２挿通孔に前記ルアー部を挿入した状態で、前記ピンを前記嵌合が実施される位置まで第１挿通孔に挿通する接続補助部材保持姿勢と、前記ピンを第１挿通孔から抜き出して前記嵌合を解除する接続補助部材開放姿勢とに姿勢変更自在な構成を備えることを特徴とする。
【発明の効果】
【００１１】
本発明に係るシリンジは、ポートへの接続に際して、当該ポートに挿入されるルアー部の保持力を高める筒状の接続補助部材を備えた医療用シリンジであって、前記接続補助部材は、外側周面にピンを挿通する第１挿通孔が穿設され、端部に第２挿通孔が穿設されており、前記ピンは、ルアー部と嵌合する嵌合部を有しており、前記第２挿通孔に前記ルアー部を挿入した状態で、前記ピンを前記嵌合が実施される位置まで第１挿通孔に挿通する接続補助部材保持姿勢と、前記ピンを第１挿通孔から抜き出して前記嵌合を解除する接続補助部材開放姿勢とに姿勢変更自在な構成を備える。
【００１２】
これにより、前記ピンを抜き出して、前記シリンジから前記接続補助部材を取り外すことにより、前記シリンジをいわゆるルアースリップタイプのシリンジとして使用することができ、さらに、前記ピンを前記接続補助部材に挿通して前記ルアー部と前記接続補助部材とを係合することにより、前記シリンジをいわゆるルアーロックタイプのシリンジとして使用することができる。
【００１３】
つまり、前記シリンジは、これら両タイプのいずれとしても機能するため汎用性が高まる。
また、前記ルアー部は、中央部近傍又は根元部近傍の径が局部的に細くなっている径小部を有する略円筒形状であって、前記ピンの挿通路は、前記接続補助部材の中心軸近傍を通って対向する前記外側周面同士を結ぶ線上にあり、前記嵌合は、前記接続補助部材の中心軸近傍において、前記ピンの嵌合部が前記ルアー部の径小部に嵌り込むことによりなされるとしてもよい。
【００１４】
この構成により、ルアー部の中心軸と接続補助部材の中心軸とが一致もしくは近接することになる。
通常、ルアーロックタイプの接続相手器具は、前記ルアー部の挿入箇所が係合を行うネジ部又は溝部などの係合構造物の中心に位置しているため、前記ルアー部の中心軸と前記接続補助部材の中心軸とが略一致していることにより、嵌合させつつ前記挿入を行うことができる。
【００１５】
また、前記嵌合は、小径部の中心軸を回転軸として、前記ピンが回転自在となるようになされるとしてもよい。
これにより、前記シリンジ自体を回転させずとも、前記接続補助部材のみを回転させることにより、前記シリンジとルアーロックタイプの接続相手器具とを接続及び固定することができる。
【００１６】
また、前記ピンは、当該ピンを挿抜する際に摘む取っ手部が設けられているとしてもよい。
これにより、前記ピンの挿抜が容易となる。
【発明を実施するための最良の形態】
【００１７】
（実施形態）
図１（ａ）、（ｂ）、（ｃ）及び（ｄ）は、本実施形態におけるシリンジを説明する図である。
シリンジ１００は、ルアーロックタイプの混注ポート及びルアースリップタイプの混注ポートのいずれにも迅速な挿抜が可能であって、薬液１１０が予め封入されたプレフィルドシリンジである。
【００１８】
このシリンジ１００は、図１（ａ）に示すように、薬液１１０が円筒状のシリンジ部１２０に充填された後、プランジャ部１５０により封止され、シリンジ部１２０の一端に（接続補助部材の一例としての）ロック部１３０が（ピンの一例としての）連結ピン１６０を介して回転自在に連結されてなる。
シリンジ部１２０は、筒状のシリンジ本体部１２１の一端（以下、「第１端」という。）から筒状のルアー部１４０が延出され、第１端と相反する側の端（以下、「第２端」という。）にフランジ部１２１ａが配されてなる。
【００１９】
ルアー部１４０は、円筒状であってその根元側に位置する径がｄ１の第１ルアー部１４４と、先端側に位置し、先端部径ｄ２及び後端部径ｄ３を有するテーパ状の第２ルアー部１４１からなり、ｄ３＞ｄ２、及び、ｄ３＞ｄ１の関係にある。
ロック部１３０は、シリンジの接続相手器具と係合するための樹脂材料からなる有底円筒状のナットであって、この底面には、径がｄ４の貫通孔１３４が設けられており、また、上記円筒側面には、開口部形状が矩形の貫通孔１３２ａ及び１３２ｂが設けられている。
【００２０】
なお、第２ルアー部１４１が貫通孔１３４を通過できるように、ｄ４の値は、ｄ３の値よりも大きくなっている。
連結ピン１６０は、ロック部１３０とルアー部１４０とを係合する略コの字状のピンであり、ロック部１３０の外郭を貫通する状態でロック部１３０に嵌合すると共に、第１ルアー部１４４と係合する機能を有する。
【００２１】
より具体的には、嵌合状態において連結ピン１６０をその主面と平行にスライスした図１（ｄ）に示すように、連結ピン１６０は、略コの字状のピンであり、矩形の根元部１６１から互いに対称形状となっている２つの延出部１６３が延出され、これら延出部１６３の根元には、挿入時においてロック部１３０に当接する段差部１６２が設けられており、さらに、これら延出部１６３の先端部近傍の外側には、それぞれ突起部１６３ａが設けられている。
【００２２】
また、これら２つの延出部１６３の間に形成される溝１６４の中央には、第１ルアー部１４４と嵌合する凹部１６５が設けられている。
シリンジ１００は、納入状態においてロック部１３０及び連結ピン１６０が取り外されている状態であっても、取り付けられている状態であっても構わないが、ここでは、便宜上、納入状態においてロック部１３０及び連結ピン１６０が取り外されている状態となっているものとして説明する。
（シリンジの使用方法）
以下、シリンジ１００の使用方法について説明する。
（ルアーロックタイプの混注ポートへの接続）
混注ポートにシリンジ１００を接続しようとする者（以下、「操作者」という。）は、この混注ポートがルアーロックタイプである場合、図１（ａ）に示すように、ロック部１３０の貫通孔１３４にルアー部１４０を挿入した後、図１（ｂ）に示すように、連結ピン１６０をロック部１３０の貫通孔１３２ａ及び１３２ｂに挿入し、図２（ａ）〜（ｆ）に示すように、この貫通孔１３２ａの両側の端面１６２ａにロック部１３０の段差部１６２の端面が接触するまで押し込む。
【００２３】
このとき、連結ピン１６０の突起部１６３ａが、貫通孔１３２ｂの両端にある接触部１６２ｂを乗り越えて挿入方向と相反する方向への移動を抑止すると共に、凹部１６５に第１ルアー部１４４が嵌り込む。
このとき、第１ルアー部１４４とロック部１３０が同心円上に位置するように係合される。
【００２４】
また、第１ルアー部１４４と連結ピン１６０の凹部１６５との接触面同士が円周方向にスリップするため、第１ルアー部１４４の中心軸を回転軸として、第１ルアー部１４４とロック部１３０とが相対的に回転する。
上述の混注ポート２００は、ルアーロックタイプの混注ポートであって、輸液ラインなどの流路となるポート本体部２０１の側面に設けられた分岐路上おいて、スリット２０４ａが設けられたゴム製の弁体２０４が円筒状のカバー本体部２０２に覆われて挟持され、カバー本体部２０２の外周にネジ溝部２０３が刻設されてなる。
【００２５】
混注ポート２００にシリンジ１００を接続する場合、操作者は、図１（ｃ）に示すように、シリンジ１００の第２ルアー部１４１を混注ポート２００のスリット２０４ａに挿入しつつ、ロック部１３０を回転させてネジ溝部２０３と羅合させることにより、シリンジ１００と混注ポート２００とを強固に接続することができる。
（ルアースリップタイプの混注ポートへの接続）
ルアースリップタイプの混注ポート２１０に、シリンジ１００を接続する場合、操作者は、図３に示すように、シリンジ１００にロック部１３０が取り付けられていない状態で、第２ルアー部１４１を混注ポート２００のスリット２０４ａに挿入することにより、シリンジ１００と混注ポート２００とを迅速に接続することができる。
【００２６】
以上のように、本実施形態のシリンジ１００は、連結ピン１６０を挿抜することによりロック部１３０を簡単に着脱することができるため、ルアースリップタイプの接続相手器具と接続を行う場合には、ロック部１３０をシリンジ１００から取り外すことにより、従来のルアースリップタイプのシリンジと同様にスムーズな接続が実施できる。
また、ルアーロックタイプの接続相手器具と接続を行う場合には、ロック部１３０をシリンジ１００に装着することにより、従来のルアーロックタイプのシリンジと同様に強固な接続が実施できる。
【００２７】
なお、本実施形態では、第１ルアー部１４４とロック部１３０とを相対的に回転させることができるとしたが、これに限らず、例えば、シリンジ１００の第１ルアー部１４４の外表面に管軸方向と平行なスプライン（以下、「第１スプライン」という。）を設け、さらに、連結ピン１６０の凹部１６５に第１スプラインに対応するスプライン（以下、「第２スプライン」という。）を設けることにより、第１ルアー部１４４に凹部１６５が嵌り込んだ際、第１及び第２スプラインが交互に嵌合して第１ルアー部１４４と凹部１６５とを位置的に固定する構造としてもよい。
【００２８】
その場合、シリンジ１００とロック部１３０とが相対的に回転不可能な状態となるが、ロック部１３０と第１ルアー部１４４とが同心円上にあるため、第２ルアー部１４１を目的の箇所に挿入しつつ、シリンジ１００全体を回転させることにより、上記ナットを羅合させることができる。
また、本実施形態において、シリンジ１００おけるロック部１３０は、混注ポートなどの器具と係合するためのナットであるとしたが、これはあくまでも一例であって、必ずしもナットである必要はない。
【００２９】
例えば、図４に示すように、ネジを有するロック部１３０に代えて、爪部１３３ａ及び１３３ｂを有するロック部１３２を用いてもよい。
その場合、シリンジ側のロック機構の変更に伴って、例えば、ルアーロックタイプの混注ポートにおける係合部の構造を、Ｌ字の溝２３１ａを２箇所に有する混注ポート２２０のようにする必要がある。
【００３０】
また、連結ピン１６０の形状は、略コの字状としたが、これはあくまでも例示であって、同様機能、即ち、ロック部１３０とルアー部１４０とを決められた位置に固定する役割を果たすピンであればどのような形状であってもよい。
このような一例として、図５（図１（ｄ）に相当）に示すように、連結ピン１６０において、２つある延出部１６３のうち一方の役割を、ロック部側で果たさせるように、断面形状を一部見直したロック部１７０と、２つある延出部１６３の一方を省略した連結ピン１８０を用いてもよい。
【産業上の利用可能性】
【００３１】
本願発明は、多様なタイプの接続ポートが使用される医療現場において用いられる医療用シリンジの製造に適用が可能である。
【図面の簡単な説明】
【００３２】
【図１】本実施形態におけるシリンジの使用状況を説明する図である。
【図２】連結ピンのロック部への挿入状況を示す図である。
【図３】本実施形態におけるシリンジのルアースリップタイプの混注ポートへの挿入状況を示す図である。
【図４】シリンジのロック機構をナット以外のもので実現するものの一例を示す図である。
【図５】本実施形態において説明した連結ピン形状以外の形状の連結ピンを用いて、ロック部とシリンジとを係合する場合の一例を示す図である。
【図６】従来のルアーロックタイプシリンジの使用状況を説明する図である。
【図７】従来のルアーロックタイプシリンジの使用状況を説明する図である。
【符号の説明】
【００３３】
１００    シリンジ
１１０    薬液
１２０    シリンジ部
１２１    シリンジ本体部
１２１ａ  フランジ部
１３０、１３２    ロック部
１３２ａ、１３２ｂ  貫通孔
１３３ａ、１３３ｂ  爪部
１３４    貫通孔
１４０、１４１、１４４    ルアー部
１５０    プランジャ部
１６０    連結ピン
１６１    根元部
１６２    段差部
１６２ａ  端面
１６２ｂ  接触部
１６３    延出部
１６３ａ  突起部
１６４    溝
１６５    凹部
１７０    ロック部
１８０    連結ピン
２００    混注ポート
２０１    ポート本体部
２０２    カバー本体部
２０３    ネジ溝部
２０４    弁体
２０４ａ  スリット
２１０、２２０    混注ポート
２３１ａ  溝
【図１】
2005296139.tif 000003
【図２】
2005296139.tif 000004
【図３】
2005296139.tif 000005
【図４】
2005296139.tif 000006
【図５】
2005296139.tif 000007
【図６】
2005296139.tif 000008
【図７】
2005296139.tif 000009